(57)【特許請求の範囲】
【請求項１】
箱形容器の蓋開口部の蓋体と箱体との境界の折り曲げ線に中央部分を残して両方向にガイド切込と連結部が交互に連なるガイド切込ラインを設けると共に、前記中央部分の側部にガイド切込ラインから離れてＵ字状又は円弧状の開封片用切込ラインにより開封片を形成してなる開蓋用切込ライン付箱形容器において、前記ガイド切込ラインのガイド切込に、くの字状に枝切込部を設けると共に前記枝切込部とガイド切込との間に連結部を設け、該枝切込部とガイド切込の間の連結部をガイド切込ラインの中央部分から末端部分に向かう長手方向に沿って中央部分では小さく末端部分では大きくなるように間隔を変えて設けてなる開蓋用切込ライン付箱形容器。
【請求項２】
請求項１に記載の開蓋用切込ライン付箱形容器において、前記枝切込部を、ガイド切込ラインの中央部分から末端部分に向かう長手方向に沿って中央部分では大きく末端部分では小さくなるように長さを変えて設けてなる開蓋用切込ライン付箱形容器。
【請求項３】
請求項１に記載の開蓋用切込ライン付箱形容器において、枝切込部を、ガイド切込ラインの中央部分から末端部分に向かう長手方向に沿って中央部分から末端部分に向かって順次に小さくなるように長さを変えて設けてなる開蓋用切込ライン付箱形容器。
【請求項４】
請求項１に記載の開蓋用切込ライン付箱形容器において、枝切込部を、ガイド切込ラインの中央部分から末端部分に向かう長手方向に沿って中央部分に対して末端部分が段階的に小さくなるように長さを変えて設けてなる開蓋用切込ライン付箱形容器。
【請求項５】
請求項１乃至４のいずれかに記載の開蓋用切込ライン付箱形容器において、ガイド切込ラインのガイド切込を、ガイド切込ラインの中央部分から末端部分に向かう長手方向に沿って中央部分に対して末端部分が小さくなるように長さを変えて設けてなる開蓋用切込ライン付箱形容器。
【請求項６】
請求項１乃至５のいずれかに記載の開蓋用切込ライン付箱形容器において、ガイド切込とガイド切込との間の連結部を、ガイド切込ラインの中央部分から末端部分に向かう長手方向に沿って中央部分に対して末端部分が大きくなるように長さを変えて設けてなる開蓋用切込ライン付箱形容器。
【請求項７】
請求項１乃至６のいずれかに記載の開蓋用切込ライン付箱形容器において、ガイド切込ラインを箱形容器の表側と裏側の両側に設け、それぞれのガイド切込ラインの側部に開封片を形成してなる開蓋用切込ライン付箱形容器。
【請求項８】
請求項１乃至７のいずれかに記載の開蓋用切込ライン付箱形容器において、開封切込ラインと最初のガイド切込の枝切込との間に、ガイド切込ラインに沿って、比較的小さな補助切込を設けて、開封時に開封切込ラインから補助切込を介して枝切込に円滑に切り開くことができるようにしてなる開蓋用切込ライン付箱形容器。
【発明の詳細な説明】
【技術分野】
【０００１】
本発明は、蓋開口部を予め施した切込ラインに沿って容易に開口することができる開蓋用切込ライン付箱形容器に関する。
【背景技術】
【０００２】
蓋開口部を予め施した切込ラインに沿って開口することができる開蓋用切込ライン付箱形容器は従来から広く知られている（特許文献１〜３参照。）。
【０００３】
これら開蓋用切込ライン付箱形容器は、いずれも大きな天板部が蓋体となっており、側板に設けた切り離し開封片を持って引き上げると、開封力の作用方向にほぼ沿って蓋体の周囲に予め設けた比較的大きな切込からなる切込ラインに沿って蓋体を開封することができるように構成してある。
【０００４】
切込ラインも、くの字状不連続切込（特許文献１参照。）、Ｙ字状不連続切込（特許文献２参照。）或いは、長尺の切込と短尺の切込を混用したもの（特許文献３参照。）等が用いられている。
【０００５】
【特許文献１】特開２０００−１８５７３３
【特許文献２】特開平９−４３７８０
【特許文献３】特開平１０−２１８１６７
【発明の開示】
【発明が解決しようとする課題】
【０００６】
従来の切込ラインは、開封力の作用方向に沿って設けてあると共に、それを施した天板や側板の紙質に起因して、例えば、段ボール用紙やボール紙のような厚紙や板紙からなる、比較的硬質で板状を維持し易い箱形容器に施したものであるから、切込ラインに沿って連結部と切込が比較的大きな間隔で大きく設けてあり、簡単に破り取りやすい紙質に適したものであった。
【０００７】
しかしながら、食料品等を収容する箱形容器は、小型で外周表面に食欲をそそるような調理イメージ等の美しい印刷を施し、調理方法、品質表等を表示して展示すると共に、外部から簡単に悪戯されない堅牢さも必要とする関係上、比較的上質な破れ難い紙質やコーティングを施した箱形容器が採用されていると共に、開封用の切込ラインも箱の縁部に沿って比較的小さく開封しにくい位置に設けてあった。
【０００８】
従って、従来の連結部と切込が比較的大きくそれぞれの間隔を大きく設けた切込ラインでは、切込が不連続となる連結部分で切込ラインの連続性が失われ、目的とする切込ラインに沿って開封することが困難になり、途中から蓋体が千切れてしまう恐れがあった。また、連結部を小さくすると切込が大きい分だけ開封は容易であるが破れやすくなる課題があった。
【０００９】
また、連結部と切込とが交互にミシン目状に連なる比較的強靱な細目切込ラインを設けたものでは、連結が強固で容易に破れにくい反面、細目切込ラインに交差する方向の開蓋力によって、切込ラインから外れた交差方向に蓋片部が切断して破れてしまう傾向があった。
【課題を解決するための手段】
【００１０】
そこで本発明は、請求項１に記載のように、箱形容器の蓋開口部の蓋体と箱体との境界の折り曲げ線に中央部分を残して両方向にガイド切込と連結部が交互に連なるガイド切込ラインを設けると共に、前記中央部分の側部にガイド切込ラインから離れてＵ字状又は円弧状の開封片用切込ラインにより開封片を形成してなる開蓋用切込ライン付箱形容器において、前記ガイド切込ラインのガイド切込に、くの字状に枝切込部を設けると共に前記枝切込部とガイド切込との間に連結部を設け、該枝切込部とガイド切込の間の連結部をガイド切込ラインの中央部分から末端部分に向かう長手方向に沿って中央部分では小さく末端部分では大きくなるように間隔を変えて設けてなる開蓋用切込ライン付箱形容器を提供しようとするものである。
【００１１】
また、本発明は、請求項２に記載のように、請求項１に記載の開蓋用切込ライン付箱形容器において、前記枝切込部を、ガイド切込ラインの中央部分から末端部分に向かう長手方向に沿って中央部分では大きく末端部分では小さくなるように長さを変えて設けてなる開蓋用切込ライン付箱形容器を提供しようとするものである。
【００１２】
また、本発明は、請求項３に記載のように、請求項１に記載の開蓋用切込ライン付箱形容器において、枝切込部を、ガイド切込ラインの中央部分から末端部分に向かう長手方向に沿って中央部分から末端部分に向かって順次に小さくなるように長さを変えて設けてなる開蓋用切込ライン付箱形容器を提供しようとするものである。
【００１３】
また、本発明は、請求項４に記載のように、請求項１に記載の開蓋用切込ライン付箱形容器において、枝切込部を、ガイド切込ラインの中央部分から末端部分に向かう長手方向に沿って中央部分に対して末端部分が段階的に小さくなるように長さを変えて設けてなる開蓋用切込ライン付箱形容器を提供しようとするものである。
【００１４】
また、本発明は、請求項５に記載のように、請求項１乃至４のいずれかに記載の開蓋用切込ライン付箱形容器において、ガイド切込ラインのガイド切込を、ガイド切込ラインの中央部分から末端部分に向かう長手方向に沿って中央部分に対して末端部分が小さくなるように長さを変えて設けてなる開蓋用切込ライン付箱形容器を提供しようとするものである。
【００１５】
また、本発明は、請求項６に記載のように、請求項１乃至５のいずれかに記載の開蓋用切込ライン付箱形容器において、ガイド切込とガイド切込との間の連結部を、ガイド切込ラインの中央部分から末端部分に向かう長手方向に沿って中央部分に対して末端部分が大きくなるように長さを変えて設けてなる開蓋用切込ライン付箱形容器を提供しようとするものである。
【００１６】
また、本発明は、請求項７に記載のように、請求項１乃至６のいずれかに記載の開蓋用切込ライン付箱形容器において、ガイド切込ラインを箱形容器の表側と裏側の両側に設け、それぞれのガイド切込ラインの側部に開封片を形成してなる開蓋用切込ライン付箱形容器を提供しようとするものである。
【００１７】
また、本発明は、請求項８に記載のように、請求項１乃至７のいずれかに記載の開蓋用切込ライン付箱形容器において、開封切込ラインと最初のガイド切込の枝切込との間に、ガイド切込ラインＬに沿って、比較的小さな補助切込Ｓを設けて、開封時に開封切込ラインから補助切込Ｓを介して枝切込に円滑に切り開くことができるようにしてなる開蓋用切込ライン付箱形容器を提供しようとするものである。
【００１８】
また、本発明は、箱形容器の蓋開口部の蓋体に開蓋切断方向に沿って連結部とガイド切込とが交互に連なるガイド切込ラインを設けると共に、ガイド切込ラインの側部に開封片用切込ラインにより開封片を形成し、前記開封片用切込ラインを前記ガイド切込ラインのガイド切込に連結する位置に設けてなる開蓋用切込ライン付箱形容器を提供するものである。
【００１９】
また、本発明は、上記の開蓋用切込ライン付箱形容器において、開封片用切込ラインの開封用切込を前記ガイド切込ラインのガイド切込に直接連結して設けてなる開蓋用切込ライン付箱形容器を提供するものである。
【００２０】
また、本発明は、上記の開蓋用切込ライン付箱形容器において、開封片用切込ラインの開封用切込の延長線が前記ガイド切込ラインのガイド切込に交差するように連結して設けてなる開蓋用切込ライン付箱形容器を提供するものである。
【００２１】
また、本発明は、上記の開蓋用切込ライン付箱形容器において、ガイド切込ラインのガイド切込の長さをライン長手方向に沿って等間隔に設けてなる開蓋用切込ライン付箱形容器を提供するものである。
【００２２】
また、本発明は、上記の開蓋用切込ライン付箱形容器において、ガイド切込ラインのガイド切込をライン長手方向に沿って長さを変えて設けてなる開蓋用切込ライン付箱形容器を提供するものである。
【００２３】
また、本発明は、上記の開蓋用切込ライン付箱形容器において、ガイド切込ラインのガイド切込をライン長手方向に沿って最初は大きくなるように長さを変えて設けてなる開蓋用切込ライン付箱形容器を提供するものである。
【００２４】
また、本発明は、上記の開蓋用切込ライン付箱形容器において、ガイド切込ラインのガイド切込の連結部をライン長手方向に沿って最初は小さくなるように間隔を変えて設けてなる開蓋用切込ライン付箱形容器を提供するものである。
【００２５】
また、本発明は、上記の開蓋用切込ライン付箱形容器において、ガイド切込ラインのガイド切込をライン長手方向に沿って最初は大きくなるように長さを変えると共に、ガイド切込の連結部をライン長手方向に沿って最初は小さくなるように間隔を変えて設けてなる開蓋用切込ライン付箱形容器を提供するものである。
【００２６】
また、本発明は、上記のいずれかに記載の開蓋用切込ライン付箱形容器において、開封用切込ラインを円弧状に設けてなる開蓋用切込ライン付箱形容器を提供するものである。
【００２７】
また、本発明は、上記のいずれかに記載の開蓋用切込ライン付箱形容器において、開封用切込ラインを直線状に設けてなる開蓋用切込ライン付箱形容器を提供するものである。
【００２８】
また、本発明は、上記のいずれかに記載の開蓋用切込ライン付箱形容器において、開封用切込ラインが連結部と開封用切込からなる開蓋用切込ライン付箱形容器を提供するものである。
【００２９】
また、本発明は、上記の開蓋用切込ライン付箱形容器において、ガイド切込ラインのガイド切込を屈曲して設けてなる開蓋用切込ライン付箱形容器を提供するものである。
【発明の効果】
【００３０】
本発明に係る開蓋用切込ライン付箱形容器によれば、箱形容器の蓋開口部の蓋体と箱体との境界の折り曲げ線に中央部分を残して両方向にガイド切込と連結部が交互に連なるガイド切込ラインを設けると共に、前記中央部分の側部にガイド切込ラインから離れてＵ字状又は円弧状の開封片用切込ラインにより開封片を形成してなる開蓋用切込ライン付箱形容器において、前記ガイド切込ラインのガイド切込に、くの字状に枝切込部を設けると共に前記枝切込部とガイド切込との間に連結部を設け、該枝切込部とガイド切込の間の連結部をガイド切込ラインの中央部分から末端部分に向かう長手方向に沿って中央部分では小さく末端部分では大きくなるように間隔を変えて設けてなる構成を有することにより、連結部により付与したガイド切込の強度を最初の中央部で弱く両側で強くすることができ、切込ラインに沿って蓋開口部の連結状態を強固に維持し、且つ、開蓋時において最初に大きな力を要するところに小さな連結部を配して切込ラインに沿った開封力を軽減して全体としてほぼ均等な開蓋力で滑らかに開蓋できるようにすることができる効果がある。
【００３１】
また、本発明は、請求項１に記載の開蓋用切込ライン付箱形容器において、前記枝切込部を、ガイド切込ラインの中央部分から末端部分に向かう長手方向に沿って中央部分では大きく末端部分では小さくなるように長さを変えて設けてなる構成を有することにより、ガイド切込ラインに交差する方向の開蓋力によって、切込ラインから外れた交差方向に蓋片部が切断した場合等に、枝切込部によって開蓋時において最初に大きな力を要する開封片用切込ラインに近いところに大きな枝切込を配してガイド切込ラインから大きく外れるのを接続させ、外れる距離が小さくなるに開封片用切込ラインから離れたところは小さい枝切込で円滑に開蓋できるようにすることができる効果がある。
【００３２】
従って、箱形容器の搬送、展示、保管時等において、ガイド切込ラインがその連結部の連結力によって蓋開口部を開蓋しないように維持すると共に、開蓋時には、開封片の開封片用切込ラインに連結するガイド切込によってガイド切込ラインに沿って迅速、円滑、容易に開蓋部を切断することができるから、ガイド切込ラインに交差する方向の開蓋力によっても、ガイド切込ラインから外れた交差方向に蓋片部が切断するようなことがなくなり、安心して開蓋することができる効果がある。
【発明を実施するための最良の形態】
【００３３】
本発明に係る開蓋用切込ライン付箱形容器の容器本体２０は、図１に記載の展開図において、折り曲げ線ａ，ｂ，ｃ，ｄに沿って同じ方向にほぼ直角に折り曲げた表裏箱片１，２が向かい合い、側部箱片３と向かい合うように折り曲げた糊代箱片５の上に側部箱片４を重ねて貼り付け、次いで側部箱片３，４の下の折り曲げ片８，９を折り曲げ線ｊ，ｍに沿って内側に折り曲げてから、折り曲げ線ｅ，ｇに沿って内側に折り曲げた片箱片７の上に底箱片６を重ね合わせて貼り付け、図２に記載の底付容器を成形すると共に、内容物を収納後に、側部箱片３，４の上の折り曲げ片１２，１３を折り曲げ線ｉ，ｋに沿って内側に折り曲げてから、折り曲げ線ｆ，ｈに沿って内側に折り曲げた上箱片１１の上に蓋箱片１０を重ね合わせて貼り付けて図３に記載のように容器本体２０を組み立てたものである。
【００３４】
本発明に係る開蓋用切込ライン付箱形容器によれば、箱形の容器本体２０の裏箱片２と上箱片１１との折り曲げ線ｈには蓋開口部として、連結部Ｈと複数個のガイド切込Ｏ１，Ｏ２，Ｏ３，Ｏ４・・・・が交互に連なるガイド切込ラインＬを設けてある。
【００３５】
食料品等を収容する箱形容器の容器本体２０は、小型で各箱片１，２，３，４，６，１０の外周表面に食欲をそそるような調理イメージ等の美しい印刷を施し、調理方法、品質表等を表示して展示すると共に、外部から簡単に悪戯されない堅牢さも必要とする関係上、比較的上質な破れ難い紙質やコーティングを施した紙質の箱材料が採用されていると共に、開封用の連結部Ｈ及とガイド切込Ｏ１，Ｏ２，Ｏ３，Ｏ４・・・・からなるガイド切込ラインＬも箱の一縁部に沿って目立たない開封しにくい折り曲げ線ｈに沿って設けてある。
【００３６】
また、本発明の容器本体２０では、図５に記載のように、折り曲げ線ｈの中央部分ｈ０に連続して裏箱片２の上辺中央部に、Ｕ字状に示した開封片用切込ラインＰを設けて、開封片１４を箱片２から上箱片１１に連なる形で切断することによって、連続的にガイド切込ラインＬに沿って図４に記載のように開蓋することができるように構成してある。
【００３７】
図４に記載のように、箱蓋片１０の内側に上蓋片１１が一体に貼り付いており、開封片１４を持って上蓋片１１を裏蓋片２から切り離すと、同時に箱蓋片１０を開蓋することができる。開口蓋部の切り口には、図４に示すように、逆Ｖ字状に尖った連結部とＵ字状に凹陥した開封片用切込とが交互に連なる開封片用切込ラインＰの切断面Ｓが残されることとなる。
【００３８】
また、図４に記載のように、容器本体２０の底部側に折り曲げ線ｇに開封片用切込ラインＰを含めて開封用のガイド切込ラインＬを設け、底部側を開蓋するように構成することも勿論可能である
【実施例１】
【００３９】
図１〜図５に記載の実施例の場合、開封片用切込ラインＰは、基本的には、細目の連結部と細目の切込とがミシン目状に連なる細目の開封用切込ラインＰからなるが、隣り合う細目切込が連続する長さの複数個の大形の切込からなる切込ラインＰを設けたものであっても良い。
【００４０】
折り曲げ線ｈの中央部分ｈ０には、切込は設けて無くても良く、開封片１４と上蓋片１１とは一体に連結している。
【００４１】
また、折り曲げ線ｈの中央部分ｈ０を除く折り曲げ線ｈに沿っては、全体に、中央部分から離れるに従って寸法の小さくなる複数個のガイド切込Ｏ１，Ｏ２，Ｏ３，Ｏ４・・・・からなるガイド切込ラインＬを設けてある。
【００４２】
また、中央部分の開封片用切込ラインＰと最初のガイド切込Ｏ１とは切断部１５により直接連結して設けてあり、指先でＵ字状の開封片１４の底片部から開封片１４を切り取るとき、同時に切断部１５が破れて引き続くガイド切込Ｏ１，Ｏ２，Ｏ３，Ｏ４，Ｏ５に沿って順次にガイド切込ラインＬが切断することとなる。
【００４３】
この場合、ガイド切込ラインＬのガイド切込Ｏ１，Ｏ２，Ｏ３，Ｏ４，Ｏ５を長手方向に沿って開封片用切込ラインＰに近い最初の部分は大きく遠い離れた部分は小さくなるように長さを変えて設けてなる構成にすることにより、中央から末端に向かって切込ラインに沿って連結状態を徐々に強くなるように蓋開口部の連結状態を維持し、密封使用状態で箱の角部が破れにくくすると共に、開蓋時においては大きな開蓋力の必要な開蓋初めは容易に破れるようにして破り方向をガイド切込ラインＬに沿って確実に設定することができ、その後は、ほぼ均等な開蓋力によって確実に開蓋することができる。
【００４４】
なお、ガイド切込Ｏ１，Ｏ２，Ｏ３，Ｏ４，Ｏ５の寸法は実施例のように徐々に小さくすることが好ましいが、例えば、最初の２個のガイド切込Ｏ１，Ｏ２の寸法は同じで、ガイド切込Ｏ３，Ｏ４，Ｏ５の寸法はそれより小さい２段階に変化する設定、又は３段階以上に変化する設定にすることも勿論可能である。
【００４５】
図５に記載の実施例の場合、中央部分の開封片用切込ラインＰと最初のガイド切込Ｏ１とは連続して設けてあり、指先でＵ字状の開封片１４の底片部から開封片１４を切り取るとき、同時にガイド切込Ｏ１が開いて、以下Ｏ２，Ｏ３，Ｏ４，Ｏ５に沿って順次にガイド切込ラインＬが切断することとなり、開封片用切込ラインＰとこれに交差して連結するガイド切込ラインＬとを確実に連続して切断するように構成してある。
【００４６】
この場合、中央部分の開封片用切込ラインＰと最初のガイド切込Ｏ１とは、開封片用切込ラインＰ上の開封片用切込で連続するように設けてある。
【実施例２】
【００４７】
図６に記載の実施例の場合、中央部分の開封片用切込ラインＰの末端部Ｐ１と、ガイド切込ラインＬとは離れて設けてあると共に、最初のガイド切込Ｏ１とは交差する位置に設けてある。即ち、最初のガイド切込Ｏ１は、折り曲げ線ｈの中央部分ｈ０に沿って、開封片用切込ラインＰの末端部Ｐ１の内側にまで食い込んで設けてあり、指先でＵ字状の開封片１４の底片部から開封片１４を切り取るとき、末端部Ｐ１がその延長線上にあるガイド切込Ｏ１に直ちに接続して、以下Ｏ２，Ｏ３，Ｏ４，Ｏ５に沿って順次に連結部Ｈが切断することとなり、開封片用切込ラインＰとこれに交差するガイド切込ラインＬとを確実に連続して切断するように構成してある。
【００４８】
この場合、中央部分の開封片用切込ラインＰの末端部Ｐ１と最初のガイド切込Ｏ１とは、開封片用切込ラインＰ上の延長線で連結し連続するように設けてあっても良い。
【００４９】
なお、図６に記載の実施例の場合、図５の場合と同様に、ガイド切込Ｏ１，Ｏ２，Ｏ３，Ｏ４，Ｏ５は長手方向に沿って最初は大きく両側は小さくなるように長さを変えて設けてなる構成にしてある。
【実施例３】
【００５０】
図７に記載の実施例の場合、ガイド切込Ｏ１，Ｏ２，Ｏ３，Ｏ４，Ｏ５は長手方向に沿って同じ大きさに設けてあるが、連結部Ｈは最初は小さく徐々に大きくなるように長さを変えて設けてなる構成にしてあり、図５又は図６の実施例と同様に、開蓋時においては大きな開蓋力の必要な開蓋初めは連結部Ｈが容易に破れるようにして破り方向をガイド切込ラインＬに沿って確実に設定することができ、その後は、ほぼ均等な開蓋力によって確実に開蓋することができるように構成してある。
【００５１】
なお、ガイド切込Ｏ１，Ｏ２，Ｏ３，Ｏ４，Ｏ５の連結部Ｈの寸法は実施例のように徐々に大きくすることが好ましいが、例えば、最初の２個のガイド切込Ｏ１，Ｏ２の連結部の寸法は同じで、ガイド切込Ｏ３，Ｏ４，Ｏ５の寸法はそれより大きく２段階に変化する設定、又は３段階以上に変化する設定にすることも勿論可能である。
【実施例４】
【００５２】
また、図８に記載の実施例の場合、ガイド切込Ｏ１，Ｏ２，Ｏ３，Ｏ４，Ｏ５は長手方向に沿って最初は大きく末端は小さく設けてあると共に、連結部Ｈは最初は小さく末端は大きくなるように長さを変えて設けてなる構成にしてあり、図５又は図６の実施例と比較して、開蓋時において大きな開蓋力の必要な開蓋初めはガイド切込と連結部が容易に破れるようにして破り方向をガイド切込ラインＬに沿って確実に設定することができ、その後は、ほぼ均等な開蓋力によって確実に開蓋することができるように構成してある。
【００５３】
図９の実施例の場合、ガイド切込ラインＬのガイド切込Ｏ１，Ｏ２，Ｏ３，Ｏ４をガイド切込ラインＬの長手方向に沿って個々に長く等間隔に設けてあり、ガイド切込ラインＬに沿って均等な強靱性で蓋開口部の連結状態を維持し、且つ、開蓋時においては均等な開蓋力によって開蓋することができるように構成してある。
【実施例５】
【００５４】
図１０に記載の実施例の場合、ガイド切込Ｏ１に、くの字状に枝切込部Ｒ１を設けてなる構成を有することにより、指先でＵ字状の開封片１４の底片部から開封片１４を切り取るとき、ガイド切込ラインＬに交差する方向の開蓋力によって、該切込ラインＬから外れた交差方向に蓋片部１４が切断した場合に、末端部Ｐ１が枝切込部Ｒ１を介してガイド切込Ｏ１に接続して、以下Ｏ２，Ｏ３，Ｏ４，Ｏ５に沿って順次にガイド切込ラインＨが切断することとなり、開封片用切込ラインＰとこれに交差するガイド切込ラインＬとを確実に連続して切断するように構成してある。
【実施例６】
【００５５】
図１１に記載の実施例の場合、先の実施例のガイド切込Ｏ１に枝切込Ｒ１を設けるだけでなく、以下Ｏ２，Ｏ４，Ｏ６に順次に枝切込Ｒ２，Ｒ３，Ｒ４を設けてあり、ガイド切込Ｏ１とＯ２を枝切込Ｒ２を介して連続可能とし、また、ガイド切込Ｏ２，Ｏ３とＯ４を枝切込Ｒ３で連続可能とせしめ、ガイド切込Ｏ４，Ｏ５とＯ６を枝切込Ｒ３で連続可能とせしめて、ガイド切込間の切断時にガイド切込ラインＬから外れた切り口が生じた場合に、枝切込を介して円滑に切り開くことができるように構成してある。
【実施例７】
【００５６】
図１２に記載の実施例の場合、先の実施例のガイド切込Ｏ１の枝切込Ｒ１の大きさに比較して、以下ガイド切込Ｏ２，Ｏ３に順次に小さくした枝切込Ｒ２，Ｒ３を設けてあり、ガイド切込Ｏ１とＯ２を枝切込Ｒ２を介して連続可能とし、また、ガイド切込Ｏ２，Ｏ３とＯ４を枝切込Ｒ３で連続可能とするものであり、ガイド切込間の切断時にガイド切込ラインＬから切り口が外れる距離が小さくなるに従って、小さい枝切込を設け、円滑に切り開くことができるように構成したものである。
【００５７】
なお、ガイド切込Ｏ１，Ｏ２，Ｏ３，Ｏ４，Ｏ５の枝切込の寸法は実施例のように徐々に小さくすることが好ましいが、例えば、最初の２個のガイド切込Ｏ１，Ｏ２の枝切込Ｒ１，Ｒ２の寸法は同じで、ガイド切込Ｏ３，Ｏ４，Ｏ５の枝切込の寸法はそれより小さく２段階に変化する設定、又は３段階以上に変化する設定にすることも勿論可能である。
【実施例８】
【００５８】
図１３に記載の実施例は、図９の実施例において、中央部分の開封片用切込ラインＰの末端部Ｐ１と、ガイド切込ラインＬとは離れて設けてあると共に、最初のガイド切込Ｏ１の中央側の端部とは交差しないほぼ同一位置に設けてある。即ち、最初のガイド切込Ｏ１は、折り曲げ線ｈの中央部分ｈ０に沿って、開封片用切込ラインＰの末端部Ｐ１の幅とほぼ一致する位置に設けてあり、指先でＵ字状の開封片１４の底片部から開封片１４を切り取るとき、末端部Ｐ１が直にガイド切込Ｏ１に接続して、以下Ｏ２，Ｏ３，Ｏ４，Ｏ５に沿って順次にガイド切込ラインＬが切断することとなり、開封片用切込ラインＰとこれに交差するガイド切込ラインＬとを確実に連続して切断するように構成してある。
【実施例９】
【００５９】
図１４に記載の実施例は、図１３の実施例と同様に、中央部分の開封片用切込ラインＰの末端部Ｐ１と、ガイド切込ラインＬとは離れて設けてあると共に、最初のガイド切込Ｏ１の中央側の端部とは交差しないほぼ同一位置又は交差する位置に設けてある。
【００６０】
折り曲げ線ｈの中央部分ｈ０に沿って、開封片用切込ラインＰが広い角度の円弧を描いて設けてあり、末端部Ｐ１が鋭角的な角度で最初のガイド切込Ｏ１に交差して設けてあり、指先でＵ字状の開封片１４の底片部から開封片１４を切り取るとき、末端部Ｐ１が鋭角的にガイド切込ラインＬ方向に向かって直にガイド切込Ｏ１に接続して、以下Ｏ２，Ｏ３，Ｏ４，Ｏ５に沿って順次にガイド切込ラインＬが切断することとなり、開封片用切込ラインＰとこれに交差するガイド切込ラインＬとを確実に連続して切断するように構成してある。
【実施例１０】
【００６１】
図１５に記載の実施例は、ガイド切込Ｏ１，Ｏ２，Ｏ３，Ｏ４がほぼ平行に傾斜して設けてあり、これに対応して各ガイド切込間の連結部Ｈも傾斜している。この図示の実施例では、各ガイド切込は、開封片用切込ラインＰに対して向かい合う方向に傾斜して設けて、開封片の切込ラインＰによる切り開き方向に連結部Ｈが傾斜して円滑に連結部Ｈが切断するように構成してあるが、各ガイド切込を反対に反り返るように傾斜して設けることも勿論可能である。
【実施例１１】
【００６２】
図１６に記載の実施例は、各ガイド切込Ｏ１，Ｏ２，Ｏ３，Ｏ４がほぼ水平に平行する切込を中央で屈曲した切込で連結する形状からなり、それぞれのガイド切込がほぼ水平なガイド切込ラインに沿って配置してあり、各ガイド切込間の連結部Ｈも開封片の切込ラインＰによる切り開き方向に傾斜して円滑に連結部Ｈが切断するように構成してある。
【実施例１２】
【００６３】
図１７に記載の実施例は、各ガイド切込Ｏ１，Ｏ２，Ｏ３，Ｏ４が、開封片用切込ラインＰに向かってほぼ平行に傾斜する切込を中央でほぼ水平をなす直線的な切込で連結する形状からなり、それぞれのガイド切込がほぼ水平なガイド切込ラインに沿って配置してあり、各ガイド切込間の連結部Ｈも開封片の切込ラインＰによる切り開き方向に傾斜して円滑に連結部Ｈが切断するように構成してある。
【実施例１３】
【００６４】
図１８に記載の実施例は、各ガイド切込Ｏ１，Ｏ２，Ｏ３が、ほぼ水平をなす直線的な切込の末端部に開封片用切込ラインＰに向かって傾斜する切込を設けた形状からなり、それぞれのガイド切込がほぼ水平なガイド切込ラインに沿って配置してあり、各ガイド切込間の連結部Ｈは開封片の切込ラインＰによる切り開き方向に傾斜して円滑に連結部Ｈが切断するように構成してある。
【実施例１４】
【００６５】
図１９に記載の実施例の場合、ガイド切込Ｏ１の先端部に枝切込Ｒ１を設けると共に、以下Ｏ２，Ｏ３，Ｏ４に順次に連結部Ｈを介して枝切込Ｒ２，Ｒ３，Ｒ４を設けてあり、開封切込ラインＰとガイド切込Ｏ１とを枝切込Ｒ１で容易に連続するようにすると共に、ガイド切込Ｏ１とＯ２を枝切込Ｒ２を介して、また、ガイド切込Ｏ２とＯ３、Ｏ３とＯ４をそれぞれ枝切込Ｒ３，Ｒ４で連続可能とするものであり、枝切込Ｒ２，Ｒ３，Ｒ４とガイド切込Ｏ２，Ｏ３，Ｏ４との間に比較的小さな連結部Ｄを介在させることにより、ガイド切込ラインＬに沿った切込にある程度の強度を付与することができるように構成してある。
【実施例１５】
【００６６】
図２０に記載の実施例のものは、図１９の実施例の枝切込Ｒ２，Ｒ３，Ｒ４とガイド切込Ｏ２，Ｏ３，Ｏ４との間に設けた連結部Ｄを、開封片用切込ラインＰの両端切込部Ｐ１に近い連結部Ｄ１，Ｄ２の間隔をゼロを含めて小さく設定し、遠い連結部Ｄ３，Ｄ４の間隔を大きくなるように設定し、連結部Ｄによる強度を中央部では小さく、両側を大きくして、中央から末端に向かって切込ラインに沿って連結状態を強くなるように蓋開口部の連結状態を維持し、密封使用状態で箱の角部が破れにくくすると共に、開蓋時においては大きな開蓋力の必要な開蓋初めは容易に破れるようにして破り方向をガイド切込ラインＬに沿って確実に設定することができ、その後は、ほぼ均等な開蓋力によって確実に開蓋することができるように構成してある。
【実施例１６】
【００６７】
図２１に記載の実施例のものは、図１９の実施例の開封切込ラインＰとガイド切込Ｏ１の枝切込Ｒ１との間に、ガイド切込ラインＬに沿って、比較的小さな補助切込Ｓを設けて、開封時に開封切込ラインＰから補助切込Ｓを介して枝切込Ｒ１に円滑に切り開くことができるように構成したものである。
【実施例１７】
【００６８】
図２２に記載の実施例のものは、図２０の実施例において、開封切込ラインＰの両端切込部Ｐ１と最初のガイド切込Ｏ１の枝切込Ｒ１との間に比較的広い間隔があっても、補助切込Ｓが、ガイド切込ラインＬに沿って、開封時に開封切込ラインＰから枝切込Ｒ１に橋渡しをして円滑に切り開くことができるように構成したものである。
【実施例１８】
【００６９】
図２３に記載の実施例は、開封用切込ラインＰをガイド切込ラインの近傍に沿って直線状に設けてなる構成を有することにより、ガイド切込Ｏ１に沿って幅の狭い開封片を設けることができ、指先で開封用切込ラインＰを引っかけてガイド切込Ｏ１側に引くと、その両端切込部Ｐ１がガイド切込Ｏ１に接続し、ガイド切込Ｏ１，Ｏ２に沿って蓋体が切り開かれることとなる。
【実施例１９】
【００７０】
図２４に記載の実施例は、開封用切込ラインＰをガイド切込ラインの近傍に沿って直線状に設けてなる構成を有し、枝切込部Ｒ１を設けてなるガイド切込Ｏ１に沿ってより近い位置に幅の狭い開封片を設けることができ、指先で開封用切込ラインＰを引っかけてガイド切込Ｏ１側に引くと、その両端切込部Ｐ１がガイド切込Ｏ１に接続し、ガイド切込Ｏ１，Ｏ２に沿って蓋体が容易に切り開かれることとなる。
【実施例２０】
【００７１】
図２５に記載の実施例は、図の表箱片１と箱蓋片１０との間に設けたガイド切込ラインＬの両側に開封片用切込ラインＰにより開封片１４を形成してあり、開封片１４をガイド切込ラインＬを境に蓋体１０側と容器箱体１側に設けることにより、開封片１４を適宜に選択して蓋体を開封することができる。また、この場合、裏箱片２と蓋箱片１１との間に、ガイド切込ラインＬと開封片用切込ラインＰにより開封片１４を形成することも勿論可能である。
【００７２】
なお、上記本発明に係る全ての実施の形態において、箱形容器は紙製の容器に限らず、合成樹脂製の容器に対しても適用可能なことは勿論である。
【００７３】
また、上記実施例において、開封前の内容物を収容した箱形容器に対して、実際の容器の流通状況に対応する輸送試験、落下試験、圧縮試験等からなる強度試験を行った結果、切込を施さない箱形容器と同等の強度を維持することを確認することができた。
【図面の簡単な説明】
【００７４】
【図１】本発明に係る箱形容器の一実施例の展開図。
【図２】その組立態様を示す斜視図。
【図３】その組立完成態様を示す斜視図。
【図４】その開蓋状態を示す斜視図。
【図５】その一実施例の要部の一実施例の拡大説明図。
【図６】その要部の他の実施例の拡大説明図。
【図７】その要部の他の実施例の拡大説明図。
【図８】その要部の他の実施例の拡大説明図。
【図９】その要部の他の実施例の拡大説明図。
【図１０】その要部の他の実施例の拡大説明図。
【図１１】その要部の他の実施例の拡大説明図。
【図１２】その要部の他の実施例の拡大説明図。
【図１３】その要部の他の実施例の拡大説明図。
【図１４】その要部の他の実施例の拡大説明図。
【図１５】その要部の他の実施例の拡大説明図。
【図１６】その要部の他の実施例の拡大説明図。
【図１７】その要部の他の実施例の拡大説明図。
【図１８】その要部の他の実施例の拡大説明図。
【図１９】その要部の他の実施例の拡大説明図。
【図２０】その要部の他の実施例の拡大説明図。
【図２１】その要部の他の実施例の拡大説明図。
【図２２】その要部の他の実施例の拡大説明図。
【図２３】その要部の他の実施例の拡大説明図。
【図２４】その要部の他の実施例の拡大説明図。
【図２５】その要部の他の実施例の説明図。
【符号の説明】
【００７５】
１      表箱片
２      裏箱片
１０    蓋箱片
１１    上箱片
１４    開封片
２０    容器本体
ｈ      折り曲げ線
Ｈ      ガイド切込間の連結部
Ｄ      枝切込とガイド切込間の連結部
Ｏ１，Ｏ２，・・・    ガイド切込
Ｌ    ガイド切込ライン
Ｐ    開封片用切込ライン
Ｒ１，Ｒ２，・・・    枝切込部
Ｓ    補助切込
【図１】
0004741647.tif 000002
【図２】
0004741647.tif 000003
【図３】
0004741647.tif 000004
【図４】
0004741647.tif 000005
【図５】
0004741647.tif 000006
【図６】
0004741647.tif 000007
【図７】
0004741647.tif 000008
【図８】
0004741647.tif 000009
【図９】
0004741647.tif 000010
【図１０】
0004741647.tif 000011
【図１１】
0004741647.tif 000012
【図１２】
0004741647.tif 000013
【図１３】
0004741647.tif 000014
【図１４】
0004741647.tif 000015
【図１５】
0004741647.tif 000016
【図１６】
0004741647.tif 000017
【図１７】
0004741647.tif 000018
【図１８】
0004741647.tif 000019
【図１９】
0004741647.tif 000020
【図２０】
0004741647.tif 000021
【図２１】
0004741647.tif 000022
【図２２】
0004741647.tif 000023
【図２３】
0004741647.tif 000024
【図２４】
0004741647.tif 000025
【図２５】
0004741647.tif 000026